(57)【特許請求の範囲】
【請求項１】
連続繊維補強材を補強繊維として、前記補強繊維の周りに樹脂を含侵させてプリプレグを形成し、そのプリプレグを硬化させて成形した繊維強化プラスチック成形品であって、
前記補強繊維の一方向ヤーンに樹脂が含侵されて一方向プリプレグが形成され、未硬化の前記一方向プレプリグ内の前記補強繊維は疎密差が設けられており、オートクレーブ成形又はオーブン成形により成形品の片面を金型で押圧せずに、前記疎密差に起因する凹凸がそのまま硬化されて、前記補強繊維自体で前記凹凸に起因した模様が形成されていること
を特徴とする繊維強化プラスチック成形品。
【請求項２】
一方向プリプレグが形成された後、前記補強繊維の繊維方向が交差するように一方向プリプレグが編み込まれて片面に前記凹凸が形成されていること
を特徴とする請求項１に記載の繊維強化プラスチック成形品。
【請求項３】
前記凹凸の最大高さＲｚが、０．０５ｍｍ以上となっていること
を特徴とする請求項１又は２に記載の繊維強化プラスチック成形品。
【請求項４】
前記補強繊維は、炭素繊維であること
を特徴とする請求項１ないし３のいずれかに記載の繊維強化プラスチック成形品。
【請求項５】
炭素繊維強化プラスチックより比重が小さい材質からなる低比重部材であって、
前記凹凸が形成された片面が表面に露出するように請求項１ないし４のいずれかの繊維強化プラスチック成形品が接着されていること
を特徴とする低比重部材。
【請求項６】
前記繊維強化プラスチック成形品が全ての外面を覆う形で接着されていること
を特徴とする請求項５に記載の低比重部材。
【請求項７】
炭素繊維強化プラスチックより比重が小さい材質からなる低比重部材であって、
前記凹凸が形成された片面が裏面の前記低比重部材側となるように請求項１ないし４のいずれかの繊維強化プラスチック成形品が接着されていること
を特徴とする低比重部材。
【請求項８】
木質系部材からなる複数の構造材が接合された木質系建築物であって、
前記構造材同士の接合部において、前記凹凸が形成された片面が裏面の前記木質系部材側となるように前記構造材同士に跨って請求項１ないし４のいずれかの繊維強化プラスチック成形品が接着されていること
を特徴とする木質系建築物。
【発明の詳細な説明】
【技術分野】
【０００１】
本発明は、炭素繊維などの補強繊維で補強された繊維強化プラスチック成型品に関し、詳しくは、木質系建築物の構造材の接合部や家具の表面材に使用される炭素繊維強化プラスチック成型品、その炭素繊維強化プラスチック成型品が接着された木質系部材及び木質系建築物に関するものである。
【背景技術】
【０００２】
従来、エンジニアードウッドである集成材は、製造時に割れや節等の木材の構造上の欠点を取り除くとともに、木材の繊維方向を交互に積層して適正に乾燥されることから反りや狂いが少なく、強度が安定した優れた木材として住宅建築などの多くの木質系建築物に使用されている。
【０００３】
また、炭素繊維は一般的なグレードでも、比重が鉄の４分の１、比強度が１０倍、比弾性率が７倍と軽くて優れた力学的特性を有することから、集成材などの木質系部材に接着することにより、補強による重量増加を抑えて木材のさらなる強度向上ができることから注目されている。
【０００４】
特に、炭素繊維を開繊して樹脂と複合したプリプレグシートや炭素繊維強化プラスチックは、薄くて取り扱いが容易で、補強材として集成材等に貼り合わせても従来通り丸鋸等で切断加工ができるため、注目されている。このため、近年、炭素繊維と集成材などの木質系部材（木質系材料）との接着性研究されるようになってきている。
【０００５】
例えば、特許文献１には、本願の発明者が提案した補強具及び補強方法が開示されている。特許文献１に記載の補強具は、複数の構造部材を接合して構成された木造建築物の補強具であって、プラスチック複合材料から成る板状部材を備え、前記板状部材は、前記複数の構造部材に囲まれて形成された前記木造建築物の骨組みの開口部に架け渡され、前記開口部に架け渡された前記板状部材が非緊張状態で定着するよう、前記板状部材の両端部が、前記開口部を形成する前記複数の構造部材に接着され、簡単な作業で補強可能とするものである（特許文献１の特許請求の範囲の請求項７、明細書の段落［００２２］〜［００３１］、図面の図１〜図１０等参照）。
【０００６】
特許文献１に記載の補強具は、簡単な作業で補強可能であると共に、性能劣化を抑制することができるという利点がある。しかし、繊維強化プラスチック成形品の表面の凹凸については、全く着目されておらず、炭素繊維シートなどの繊維強化プラスチック成形品と木材とを接着した場合、接着材層で剥離してしまうという問題を解決することはできなかった。
【０００７】
また、特許文献２には、木造建築物における既存梁の補強方法において、前記既存梁の下面に第一の繊維プレートを取り付ける工程と、前記第一の繊維プレートを取り付けた前記既存梁に、前記既存梁の両端から所定の長さ前記既存梁の中央に向かって第一の繊維シートを巻き付ける工程と、を含むことを特徴とする木造建築物補強方法が開示されている（特許文献２の特許請求の範囲の請求項１、明細書の段落［００１７］〜［００３６］、図面の図１〜図４等参照）。
【０００８】
しかし、特許文献２に記載の木造建築物補強方法は、簡便で施工性が高いものの、一般に、木材と炭素繊維強化プラスチック板との接着は困難であるという問題があった。例えば、JISK6852に規定されている接着剤の圧縮せん断接着強さ試験方法で試験を行った場合、繊維シートと木材とを接着する接着材層で剥離してしまうという問題があった。
【０００９】
一方、プリプレグ自体の先行技術としては、例えば、特許文献３には、樹脂フィルムの片面又は両面に、面対称の繊維強化材を貼着したセミ含浸プリプレグ、及び樹脂フィルムの両面に、互いに面対称である繊維強化材を貼着したセミ含浸プリプレグが開示されている（特許文献３の特許請求の範囲の請求項１、明細書の段落［００１６］〜［００３３］、図面の図１〜図５等参照）。
【００１０】
特許文献３に記載のセミ含浸プリプレグは、真空バッグ成形を行っても、従来のプリプレグのようなボイドを生じることがなく、高品位の成形品を得ることができ、オートクレーブ成形を行うことが不可能な大型の成形品であっても一体成形を行うことができるとされている。
【００１１】
しかし、特許文献３に記載の発明では、繊維強化プラスチック成形品の表面の凹凸については、全く着目されておらず、炭素繊維シートなどの繊維強化プラスチック成形品と木材とを接着した場合、接着材層で剥離してしまうという問題を解決することはできなかった。
【００１２】
さらに、特許文献４には、熱硬化性樹脂フィルム５と、その少なくとも一面に貼着した繊維強化材２及び３とからなるセミ含浸プリプレグ１であって、前記セミ含浸プリプレグの周端部Ｓの少なくとも一部に突出繊維部９を有するセミ含浸プリプレグが開示されている（特許文献４の特許請求の範囲の請求項１、明細書の段落［００１７］〜［００４４］、図面の図１〜図３等参照）。
【００１３】
特許文献４に記載のセミ含浸プリプレグは、バッグを用いてプリプレグを密封して減圧にする際に突出繊維部がエアの流路を確保するためプリプレグ内部のエアが抜けやすく、ボイドの少ない成形品を得ることができるとされている。
【００１４】
しかし、特許文献４に記載の発明では、特許文献３と同様に、繊維強化プラスチック成形品の表面の凹凸については、全く着目されておらず、繊維強化プラスチック成形品と木材とを接着した場合、接着材層で剥離してしまうという問題を解決することはできなかった。
【先行技術文献】
【特許文献】
【００１５】
【特許文献１】特許第６１５０３６１号公報
【特許文献２】特開２０１８−１２７７９５号公報
【特許文献３】特開２００４−３５６０４号公報
【特許文献４】特開２００４−５８６１０号公報
【発明の概要】
【発明が解決しようとする課題】
【００１６】
そこで、本発明は、前述した問題に鑑みて案出されたものであり、その目的とするところは、片面にプラズマ処理などの高価な表面処理に依らず安価で凹凸が形成されることにより、木質系部材等の低比重部材との接着性を向上させることができるとともに、補強繊維自体で模様を形成することにより意匠性が高く、且つ傷や汚れが目立ち難い繊維強化プラスチック成形品、及びそれが接着された低比重部材及び木質系建築物を提供することにある。
【課題を解決するための手段】
【００１７】
第１発明に係る繊維強化プラスチック成形品は、連続繊維補強材を補強繊維として、前記補強繊維の周りに樹脂を含侵させてプリプレグを形成し、そのプリプレグを硬化させて成形した繊維強化プラスチック成形品であって、前記補強繊維の一方向ヤーンに樹脂が含侵されて一方向プリプレグが形成され、未硬化の前記一方向プレプリグ内の前記補強繊維は疎密差が設けられており、オートクレーブ成形又はオーブン成形により成形品の片面を金型で押圧せずに、前記疎密差に起因する凹凸がそのまま硬化されて、前記補強繊維自体で前記凹凸に起因した模様が形成されていることを特徴とする。
【００１８】
第２発明に係る繊維強化プラスチック成形品は、第１発明において、一方向プリプレグが形成された後、前記補強繊維の繊維方向が交差するように一方向プリプレグが編み込まれて片面に前記凹凸が形成されていることを特徴とする。
【００１９】
第３発明に係る繊維強化プラスチック成形品は、第１発明又は２発明において、前記凹凸の最大高さＲｚが、０．０５ｍｍ以上となっていることを特徴とする。
【００２０】
第４発明に係る繊維強化プラスチック成形品は、第１発明ないし第３発明のいずれかの発明において、前記補強繊維は、炭素繊維であることを特徴とする。
【００２１】
第５発明に係る低比重部材は、炭素繊維強化プラスチックより比重が小さい材質からなる低比重部材であって、前記凹凸が形成された片面が表面に露出するように請求項１ないし４のいずれかの繊維強化プラスチック成形品が接着されていることを特徴とする。
【００２２】
第６発明に係る低比重部材は、第５発明において、前記繊維強化プラスチック成形品が全ての外面を覆う形で接着されていることを特徴とする。
【００２３】
第７発明に係る低比重部材は、炭素繊維強化プラスチックより比重が小さい材質からなる低比重部材であって、前記凹凸が形成された片面が裏面の前記低比重部材側となるように請求項１又は２に記載の繊維強化プラスチック成形品が接着されていることを特徴とする。
【００２４】
第８発明に係る木質系建築物は、木質系部材からなる複数の構造材が接合された木質系建築物であって、前記構造材同士の接合部において、前記凹凸が形成された片面が裏面の前記木質系部材側となるように前記構造材同士に跨って請求項１ないし４のいずれかの繊維強化プラスチック成形品が接着されていることを特徴とする。
【発明の効果】
【００２５】
第１発明〜第４発明によれば、片面にプラズマ処理などの高価な表面処理に依らず安価に凹凸が形成されることにより、木質系部材との接着性を向上させることができるとともに、補強繊維自体で模様を形成することにより意匠性が高く、且つ傷や汚れが目立ち難い。
【００２６】
特に、第２発明によれば、プリプレグの状態で繊維方向が交差するように編み込んで片面に凹凸が形成されているので、編み込むことにより表面に形成する凹凸の最大高さを大きくすることができる。このため、木質系部材との接着性がさらに向上する。その上、編み込むことにより表面に市松模様などの模様を自由に形成することができる。このため、さらに意匠性を高くすることができる。
【００２７】
特に、第３発明によれば、凹凸の最大高さＲｚが、０．０５ｍｍ以上となっているので、木質系部材等の低比重部材との接着性がさらに向上する。
【００２８】
特に、第４発明によれば、補強繊維が炭素繊維であるので、比重が鉄の４分の１、比強度が１０倍、比弾性率が７倍と軽くて優れた力学的特性を有する炭素繊維で木質系部材等を補強することができる。このため、第４発明によれば、補強による重量増加を抑えて木質系部材のさらなる強度向上を達成することができる。
【００２９】
また、第５発明によれば、繊維強化プラスチック成形品で補強した低比重部材の表面に、補強繊維の疎密差に起因する凹凸を露出して見せることができる。このため、低比重部材を繊維強化プラスチック成形品で補強できるだけでなく、プラズマ処理などの高価な表面処理の手間やコスト、及び模様等がプリントされたシート材を繊維強化プラスチック成形品の上に接着する手間やコストを低減することができる。また、一般には、接着性が悪く、繊維強化プラスチック成形品とプリントされたシート材が剥離するおそれを完全に払拭することができ、耐久性が格段に向上する。
【００３０】
特に、第６発明によれば、前記作用効果に加え、強度の高い繊維強化プラスチック成形品で全ての外面が覆われる形となるので、断面性能が向上し、安価な低比重部材を使用しても耐久性の高い部材とすることができる。しかも、第６発明によれば、外部から視認できる表面に補強繊維の疎密差に起因する凹凸を露出して市松模様などの任意の模様を見せることができ、前述のように表面処理や別材接着の手間やコストを省いて意匠性を向上させることができる。
【００３１】
第７発明によれば、凹凸が形成された片面が低比重部材側となるように繊維強化プラスチック成形品が接着されているので、低比重部材と繊維強化プラスチック成形品との接着性が向上し、強固に一体化させることができる。このため、重量増加を抑えて連続繊維補強材で低比重部材を補強して大きなスパンを飛ばして架設することができる強度の高い低比重部材を製造することができる。
【００３２】
第８発明によれば、繊維強化プラスチック成形品により重量増加を抑えつつ構造材同士を強固に接合することでき、自重に比例して入力される地震などの水平力に有効に対抗することができる木質系建築物を構築することができる。
【図面の簡単な説明】
【００３３】
【図１】本発明の実施形態に係る繊維強化プラスチック成形品を斜め上方から見た斜視図で表す写真である。
【図２】同上の繊維強化プラスチック成形品を上方から見た平面図で示す写真である。
【図３】同上の繊維強化プラスチック成形品の炭素繊維のヤーン及びプリプレグを模式的に示す斜視図である。
【図４】同上の繊維強化プラスチック成形品のプリプレグを編み込んだ積層体を模式的に示す模式断面図である。
【図５】（ａ）は、繊維強化プラスチック成形品１のオーブン成形工程を示す工程説明図であり、（ｂ）は、オーブン成形により成形された繊維強化プラスチック成形品１の断面を模式的に示す模式断面図である。
【図６】同上の繊維強化プラスチック成形品のある箇所の凹凸面を３Ｄ形状測定機で計測した計測結果を表す３Ｄ画像である。
【図７】同上の繊維強化プラスチック成形品の他の箇所の凹凸面を３Ｄ形状測定機で計測した計測結果を表す３Ｄ画像である。
【図８】（ａ）は、同上の繊維強化プラスチック成形品のある箇所の凹凸面を３Ｄ形状測定機で計測した計測結果を表す３Ｄ画像である。（ｂ）は、その凹凸のプロファイルと平面との位置関係を示す平面図である。（ｃ）は、その凹凸のプロファイルである。
【図９】（ａ）は、同上の繊維強化プラスチック成形品の他の箇所の凹凸面を３Ｄ形状測定機で計測した計測結果を表す３Ｄ画像である。（ｂ）は、その凹凸のプロファイルと平面との位置関係を示す平面図である。（ｃ）は、その凹凸のプロファイルである。
【図１０】同上の繊維強化プラスチック成形品の凹凸面が表面に露出するように接着された木質系部材を模式的に示す模式断面図である。
【図１１】同上の繊維強化プラスチック成形品が木質系材料の外面を覆う形で接着されている木質系部材を模式的に示す模式断面図である。
【図１２】同上の繊維強化プラスチック成形品の凹凸面が裏面側となるように接着された木質系部材を模式的に示す模式断面図である。
【図１３】同上の繊維強化プラスチック成形品の凹凸面が裏面側となるように土台と柱との接合部に両者に跨って接着された木質系建築物を示す概略斜視図である。
【発明を実施するための形態】
【００３４】
以下、本発明の実施形態に係る繊維強化プラスチック成形品、そのプラスチック成型品が接着された低比重部材、及び木質系建築物について、図面を参照しながら詳細に説明する。
【００３５】
＜繊維強化プラスチック成形品＞
先ず、図１〜図５を用いて、本発明の実施形態に係る繊維強化プラスチック成形品１について説明する。図１は、本発明の実施形態に係る繊維強化プラスチック成形品１を斜め上方から見た斜視図で表す写真であり、図２は、繊維強化プラスチック成形品１を上方から見た平面図で表す写真である。また、図３は、繊維強化プラスチック成形品１の炭素繊維のヤーン２及びプリプレグ３を模式的に示す斜視図であり、図４は、繊維強化プラスチック成形品１のプリプレグ３を編み込んだ積層体４を模式的に示す模式断面図である。
【００３６】
本実施形態に係る繊維強化プラスチック成形品１は、炭素繊維を補強繊維として、その周りに熱硬化性樹脂等のマトリクス樹脂を含侵させて硬化させた炭素繊維強化プラスチック（ＣＦＲＰ：Carbon Fiber-Reinforced Plastics）成型品である。この繊維強化プラスチック成形品１は、図１，図２に示すように、所定厚さ（例えば、９００ｍｍ〜１８００ｍｍ）の矩形板状に成形されているとともに、炭素繊維の束である後述の一方向ヤーン２を配列して形成した一方向プリプリグ３内の補強繊維の疎密差に起因する凹凸が形成され、その凹凸が市松模様となっている。
【００３７】
補強繊維は、炭素繊維に限られず、アラミド繊維やガラス繊維であっても構わない、またボロン繊維や金属繊維など他の連続繊維補強材とすることもできる。要するに、補強繊維は、所定の引張強度を有する長尺の連続する繊維であればよい。但し、炭素繊維は、一般的なグレードでも引張強度が２６９０Ｎ／ｍｍ2程度と非常に高く、比重が鉄の４分の１、比強度が１０倍、比弾性率が７倍と軽くて優れた力学的特性を有することから他の連続繊維補強材と比べて好適である。
【００３８】
また、マトリクス樹脂としては、エポキシ樹脂、ビニルエステル樹脂、メタクリル樹脂、ポリカーボネイト樹脂、塩化ビニル樹脂などが挙げられる。勿論、マトリクス樹脂は、熱硬化性樹脂に限られず、熱可塑性樹脂や紫外線硬化樹脂とすることも可能である。
【００３９】
図３に示すように、この繊維強化プラスチック成形品１は、先ず、直径５μｍ〜７μｍ程度の炭素繊維の素線を数万本程度（一般的には、１２０００本〜２４０００本）一方向に束ねたヤーン２を複数本（図示形態では４本）配列し、熱硬化性樹脂等の樹脂を含侵させて一体化し未硬化の一方向プリプレグ３を形成する。このとき、炭素繊維の間隔を密にしたり離したりすることにより、プリプレグ３の表面に炭素繊維の疎密差に起因する凹凸を形成する。
【００４０】
また、本実施形態に係る繊維強化プラスチック成形品１では、図４に示すように、次に、未硬化状態のプリプレグ３と他のプリプレグ３’を、炭素繊維の繊維方向が交差するように編み込んで積層し、積層体４を形成する。
【００４１】
しかし、従来の繊維強化プラスチック成形品は、特許文献３や特許文献４に記載されているように、炭素繊維の素線を織り込んで織物を形成し、その織物に熱硬化性樹脂からなる樹脂フィルムを貼着し、プリプレグを形成していた。このため、このプリプレグからオーブン成形（真空バッグ成形ともいう。以下同じ）により繊維強化プラスチック成形品を成形しても、金型Ｋ１側でない片面には、補強繊維の疎密差に配慮されていないため、不均一な凹凸しか形成されず、後述の低比重部材（木質系部材；木質系材料）との接着性や意匠性を向上させるための凹凸としては不十分であった。
【００４２】
繊維強化プラスチック成形品１では、前述の積層体４をオーブン成形により真空ポンプで吸引して繊維間の余分な空気を排気しつつ加熱して、熱硬化性樹脂を硬化させて積層体４から繊維強化プラスチック成形品１を形成する。
【００４３】
図５（ａ）は、繊維強化プラスチック成形品１のオーブン成形工程を示す工程説明図であり、図５（ｂ）は、オーブン成形により成形された繊維強化プラスチック成形品１の断面を模式的に示す模式断面図である。図５（ａ）に示すように、オーブン成形工程では、金型Ｋ１の上に前述の積層体４が載置され、その積層体４の上に所定厚さの適切な可撓性を有するフィルム状のシートＳ１が被さられて密閉される。そして、シートＳ１内の空気が、真空ポンプＰで吸引されて排気されるとともに、積層体４に熱が加えられて、積層体４のプリプレグ３の樹脂が硬化して、図５（ｂ）に示すように、金型Ｋ１で押圧されず、板状成型品の板面の片面（上面）に凹凸面１ａが形成される。
【００４４】
このとき、図５（ｂ）に示すように、繊維強化プラスチック成形品１の板面のもう一方の片面（下面）には、金型Ｋ１の平滑な上面が転写された平滑面１ｂが形成される。
【００４５】
このように形成される繊維強化プラスチック成形品１では、プリプレグ３の状態にしてから編み込むことにより、金型Ｋ１で押圧されずに、プリプレグ３間の隙間がそのまま凹凸面１ａとなって現れる。このため、従来の繊維強化プラスチック成形品のように炭素繊維の素線の太さに起因する凹凸と比べて、繊維強化プラスチック成形品１の凹凸面１ａの後述の凹凸の最大高さＲｚは、遥かに大きなものとなる。なお、繊維強化プラスチック成形品１を成形する方法として、オーブン成形（真空バッグ成形）を例示して説明したが、オートクレーブ成形にも適用できることは云うまでもない。
【００４６】
次に、図６〜図９を用いて、繊維強化プラスチック成形品１の凹凸面１ａについてさらに詳細に説明する。図６は、繊維強化プラスチック成形品１のある箇所の凹凸面１ａを３Ｄ形状測定機で計測した計測結果を表す３Ｄ画像であり、図７は、繊維強化プラスチック成形品１の他の箇所の凹凸面１ａを３Ｄ形状測定機で計測した計測結果を表す３Ｄ画像である。
【００４７】
また、図８（ａ）は、繊維強化プラスチック成形品１のある箇所の凹凸面１ａを３Ｄ形状測定機で計測した計測結果を表す３Ｄ画像である。そして、図８（ｂ）は、その凹凸のプロファイルと平面との位置関係を示す平面図であり、図８（ｃ）は、その凹凸のプロファイルである。
【００４８】
また、図９（ａ）は、繊維強化プラスチック成形品１の他の箇所の凹凸面１ａを３Ｄ形状測定機で計測した計測結果を表す３Ｄ画像である。そして、図９（ｂ）は、その凹凸のプロファイルと平面との位置関係を示す平面図であり、図９（ｃ）は、その凹凸のプロファイルである。
【００４９】
図６，図７から明らかなように、繊維強化プラスチック成形品１の凹凸面１ａは、繊維方向が交差する位置、即ち、あるプリプレグ３が他のプリプレグ３’の下方に沈み込む境界において、凹凸の最大高さが大きくなっている（符号は、図４参照）。
【００５０】
図８に示す３Ｄ画像の計測結果では、図８（ｂ）から、凹凸の最大高さＲｚは、０．１６８７ｍｍ−０．０３５４ｍｍ＝０．１３３３ｍｍであることが分かる。ここで、最大高さＲｚとは、粗面の凹凸の輪郭曲線の中で最も高い山の高さと最も深い谷の深さの和を指している。また、図８（ｃ）から、プリプレグ３が他のプリプレグ３’の下方に沈み込む境界でない部分においても、ヤーン２同士の間隔（疎密差）に起因する凹凸として、隣接する山の高さと谷の深さの和は、０．０５ｍｍ以上確保できていることが分かる。
【００５１】
また、図９に示す３Ｄ画像の計測結果では、図９（ｂ）から、凹凸の最大高さＲｚは、０．１３８１ｍｍ−０．０１２１ｍｍ＝０．１２６０ｍｍであることが分かる。そして、図９（ｃ）から、プリプレグ３が他のプリプレグ３’の下方に沈み込む境界でない部分においても、ヤーン２同士の間隔に起因する凹凸として、隣接する山の高さと谷の深さの和は、０．０５ｍｍ以上確保できていることが分かる。
【００５２】
以上の測定結果により、繊維強化プラスチック成形品１では、プリプレグ３が他のプリプレグ３’の下方に沈み込む境界では、凹凸の最大高さＲｚが、０．１２６０ｍｍ以上確保できている。また、繊維強化プラスチック成形品１では、ヤーン２同士の間隔（疎密差）に起因する凹凸だけでも、凹凸の最大高さＲｚが０．０５ｍｍ以上確保できている。
【００５３】
これらの事実を踏まえると、本発明に係る繊維強化プラスチック成形品では、補強繊維の疎密差に起因する凹凸がそのまま形成され、凹凸の最大高さＲｚが、０．０５ｍｍ以上となっている。このため、本発明に係る繊維強化プラスチック成形品の凹凸は、後述の低比重部材との接着性や意匠性を向上させるための凹凸として充分であると考えられる。これに対して、従来の繊維強化プラスチック成形品は、ヤーンを配列して形成した一方向プレプリグ内の補強繊維の疎密差に配慮されていないため、炭素繊維（補強繊維）の素線の太さに起因する程度の凹凸（素線の直径５μｍ〜７μｍの数倍程度が限度）が形成されているに過ぎず、凹凸の最大高さ（最大山高さ、最大谷深さも同じ）としては不十分であった。なお、最大高さＲｚの上限値は、特に限定されないが、一般には、０．５ｍｍ以下と考えられる。
【００５４】
以上説明した繊維強化プラスチック成形品１によれば、板状成形品の板面の片面（上面）に凹凸が形成されることにより、後述の低比重部材（特に、木質系部材）との接着性を向上させることができる。また、繊維強化プラスチック成形品１によれば、プリプレグ３，３’の状態で編み込むことにより凹凸面１ａの凹凸の最大高さＲｚを深くすることができる。このため、低比重部材との接着性がさらに向上することができる。その上、編み込むことにより表面に市松模様などの任意の模様を自由に形成することができ、プラズマ処理などの高価な表面処理に依らず安価に意匠性を高くすることができる。
【００５５】
＜低比重部材：家具などの面板に適用した場合＞
次に、図１０を用いて、前述の繊維強化プラスチック成形品１の凹凸面１ａが表面に露出するように接着された低比重部材である木質系部材５について説明する。図１０は、繊維強化プラスチック成形品１の凹凸面１ａが表面に露出するように接着された木質系部材５を模式的に示す模式断面図である。
【００５６】
本実施形態では、木質系部材５は、家具などの木製の面板を想定している。ここで、木質系部材とは、木材、集成材、単板積層材（ＬＶＬ：Laminated Veneer Lumber）、グルーラム、直交集成板（ＣＬＴ：Cross laminated timber）などの木軸材、合板、配向性ストランドボード（ＯＳＢ：Oriented Strand Board）、パーティクルボードなどの木製の面板などが挙げられる。つまり、木質系部材（木質系材料）とは、木材を大小のカケラに分解し、このカケラを接着剤を用いて軸材や面材につくり直した部材（材料）のことを指している。
【００５７】
しかし、本発明に係る低比重部材は、木質系部材に限られず、家具などの面板に使用される部材には本発明を適用することができる。ここで、低比重部材とは、前述の炭素繊維補強プラスチック（ＣＦＲＰ：Carbon Fiber-Reinforced Plastics）より比重が小さい材質からなる部材を指している。
【００５８】
炭素繊維強化プラスチックの比重は、一般に、１．５〜１．８程度である。よって、低比重部材は、比重が１．５以下となる材質からなる部材を指している。例えば、低比重部材は、補強繊維（フィラー）を含まない樹脂単体である生樹脂からなる部材、発泡樹脂、又はハニカム構造などの空洞を有した部材であっても構わない。低比重部材が、生樹脂や木材の場合、その比重は、おおよそ１．０以下となり、低比重部材が、発泡樹脂や軽量木材の場合、その比重は、おおよそ０．５以下となる。このような低比重部材であっても、炭素繊維強化プラスチックで補強することにより、家具などの面板として使用することができるからである。
【００５９】
本実施形態に係る木質系部材５は、図１０に示すように、前述の繊維強化プラスチック成形品１の凹凸面１ａが表面に露出するように接着されている。即ち、木質系部材５には、繊維強化プラスチック成形品１の平滑面１ｂが接着されている。このため、木質系部材５は、前述の炭素繊維のプリプレグ３から形成された市松模様が外部から視認できるため、意匠性が高いものとなる。
【００６０】
また、このような木製の面板は、従来、木質系部材を心材として、その表面に木目調の模様等がプリントされた樹脂シートが接着されていた。このため、樹脂シートに傷が付いた場合、非常に目立ち、見栄えが悪いという問題があった。
【００６１】
しかし、繊維強化プラスチック成形品１の平滑面１ｂが接着された低比重部材である木質系部材５によれば、視認可能な表面に黒色の補強繊維である炭素繊維補自体で模様を形成することができ、凹凸面１ａの影響により、傷や汚れが目立ち難い。また、木質系部材５によれば、繊維強化プラスチック成形品１で補強できるため、パーティクルボードのような安価で強度が弱い木質系部材を使用した場合でも、耐久性の高いものとすることができる。
【００６２】
その上、木質系部材５によれば、プラズマ処理などの高価な表面処理や模様等がプリントされたシート材を繊維強化プラスチック成形品の上に接着することを行わなくても家具などの面板を意匠上見栄えの良いもとすることができる。このため、表面処理やシート材を貼着する手間やコストを低減することができる。また、一般には、接着性が悪く、繊維強化プラスチック成形品１と樹脂シートなどのシート材が剥離するおそれを完全に払拭することができ、耐久性が格段に向上する。
【００６３】
なお、木質系部材５では、繊維強化プラスチック成形品１の平滑面１ｂと木質系部材５が接着されている。このため、木質系部材５との接着性は、いいとは言えない。しかし、家具などの面板に適用した場合、木質系部材５には、そこまで高い強度を要求されないことから、木質系部材５との接着性の悪さは、さほど問題とならない。
【００６４】
次に、図１１を用いて、前述の繊維強化プラスチック成形品１が木質系材料５０’の外面を覆う形で接着されている前述の木質系部材５の変形例である木質系部材５’について説明する。本実施形態に係る木質系部材５’は、前述の木質系部材５と同様に、家具などの木製の面板を想定している。図１１は、繊維強化プラスチック成形品１が木質系材料５０’の外面を覆う形で包み込むように接着されている木質系部材５’を模式的に示す模式断面図である。
【００６５】
図１１に示すように、本実施形態に係る木質系部材５’は、前述の繊維強化プラスチック成形品１が、木質系材料５０’の外面を覆う形で包み込むように接着されている。図１１に示すように、木質系部材５’では、断面矩形の板状の六面体である木質系材料５０’の六面全面に前述の繊維強化プラスチック成形品１が凹凸面１ａが外表面に露出するように接着されている。但し、露出する面積の少ない木質系部材５’の小口面や小端面は、特に凹凸面１ａが形成されていなくても構わない。外部から見える面積が小さく、外観に占める影響が小さいからである。
【００６６】
この木質系材料５０’は、前述の木質系部材５と同様に、木材を大小のカケラに分解し、このカケラを接着剤を用いて面材につくり直した材料のことを指している。但し、木質系材料５０’は、前述の炭素繊維強化プラスチックより比重が小さい比重が１．５以下となる材質から構成しても構わない。
【００６７】
木質系部材５’によれば、前述の木質系部材５と同様に、繊維強化プラスチック成形品１で補強できるため、パーティクルボードのような安価で強度が弱い木質系材料などの低比重材料を使用した場合でも、強度が高く耐久性の高いものとすることができる。つまり、木質系部材５’によれば、曲げ応力が作用した際の中立軸から遠い木質系部材５’の外縁に、強度の高い繊維強化プラスチック成形品１が配置されることとなり、断面性能が格段に向上し、安価な低比重部材を使用しても耐久性の高い部材とすることができる。
【００６８】
しかも、木質系部材５’では、繊維強化プラスチック成型品１をプリプレグ状態で木質材料５０’の表面に積層接着した後、真空ポンプで吸引しつつ加熱して樹脂を硬化させることで、繊維強化プラスチック成型品１の成形と木質材料５０’との一体化を同時に行うことができる。このため、木質系部材５’を短時間で製造することが可能となり、製造コストも低減することができる。
【００６９】
しかも、木質系部材５’では、外部から視認できる外表面にヤーンの疎密差に起因する凹凸面１ａが現れるように繊維強化プラスチック成形品１が接着されている。このため、木質系部材５’によれば、凹凸面１ａに形成された市松模様などの任意の模様を見せることができ、前述のように表面処理や別材接着の手間やコストを省いて木質系部材５’の意匠性を向上させることができる。
【００７０】
＜低比重部材：軸材に適用した場合＞
次に、図１２を用いて、前述の繊維強化プラスチック成形品１の凹凸面１ａが裏面となるように接着された低比重部材である木質系部材６について説明する。図１２は、繊維強化プラスチック成形品１の凹凸面１ａが裏面側となるように接着された木質系部材６を模式的に示す模式断面図である。本実施形態では、木質系部材６は、梁や桁などの木軸材を想定している。
【００７１】
本実施形態に係る木質系部材６は、図１２に示すように、前述の繊維強化プラスチック成形品１の凹凸面１ａが裏面となり、木質系部材６側となるように接着されている。即ち、この木質系部材６には、繊維強化プラスチック成形品１の凹凸面１ａが背着されえいる。このため、木質系部材６と繊維強化プラスチック成形品１との接着性が向上し、強固に一体化させることができる。
【００７２】
つまり、繊維強化プラスチック成形品１の凹凸面１ａには、前述のように、凹凸の最大高さＲｚが、０．０５ｍｍ以上確保されているとともに、繊維方向が直交するように交差して凹凸の溝の方向が垂直に交わることとなる。このため、接着材が、この凹凸に入り込んで喰い込むとともに、凹凸の溝が引掛り接着材層との界面でずれるおそれが無く、木質系部材６と繊維強化プラスチック成形品１との接着性が向上する。
【００７３】
また、繊維強化プラスチック成形品１の凹凸面１ａが接着された木質系部材６によれば、引張力を受ける部分に、極めて引張強度の高い炭素繊維で補強することができ、大きなスパンを飛ばして架設することができるだけでなく、重量増加を抑えることができる。その上、木質系部材６によれば、繊維強化プラスチック成形品１が接着されていても、従来通り丸鋸等で切断加工ができ、施工性が極めて高いものとすることができる。
【００７４】
＜木質系建築物：構造材同士の接合部に適用した場合＞
次に、図１３を用いて、構造材同士の接合部において前述の繊維強化プラスチック成形品１の凹凸面１ａが裏面となるように構造材同士に跨って接着された木質系建築物１０について説明する。図１３は、土台１１と柱１２との接合部に繊維強化プラスチック成形品１の凹凸面１ａが両者に跨って接着されている木質系建築物１０を示す概略斜視図である。
【００７５】
木質系建築物１０としては、木軸材を主要構造材としてフレーム状に組み立てられた在来構法である木造軸組構法により建造された木造の建築物を例示して説明する。勿論、本発明に係る木質系建築物は、木造軸組構法により建造された建築物に限られず、木質パネル工法で建造された建築物や木軸材を金物を介して組み立てた建築物を含む概念である。
【００７６】
図１３に示すように、木質系建築物１０は、木軸材からなる土台１１の上に、木軸材からなる柱１２が立設され、これらの主要構造材の接合部に前述の繊維強化プラスチック成形品１の凹凸面１ａが構造材側となるように接着されている。
【００７７】
このため、繊維強化プラスチック成形品１と木質系部材でもある構造材との接着性が向上され、繊維強化プラスチック成形品１により重量増加を抑えつつ構造材同士を強固に接合することでき、自重に比例して入力される地震などの水平力に対して効果的に対抗することができる。
【００７８】
また、繊維強化プラスチック成形品１が接着された木質系建築物１０によれば、繊維強化プラスチック成形品１が腐食するおそれがない。このため、鎹（かすがい）などの金物で主要構造材同士を接合する場合と比べて格段に建築物の耐久性が向上する。その上、繊維強化プラスチック成形品１が接着された木質系建築物１０によれば、金物を使用しない「ほぞ」と「ほぞ穴」により接合する場合と比べて、構造材の加工手間を各段に低減することができる。
【００７９】
なお、本発明を土台１１と柱１２との接合部に適用する場合を例示して説明したが、本発明は、柱と梁、柱と胴差や桁などの他の主要構造材同士の接合部にも適用できることは云うまでもない。また、木質系建築物１０の増改築だけでなく、木質系建築物１０の新築時にも適用することができる。但し、増改築の際は、間仕切りや設計変更を伴う場合が多く、繊維強化プラスチック成形品１で補強することにより、既存の構造材を利用して増改築を行うことができるため、特に好適に適用することができる。
【００８０】
以上、本発明の実施形態に係る繊維強化プラスチック成形品１、繊維強化プラスチック成形品１の平滑面１ｂが接着された木質系部材５、木質系材料が繊維強化プラスチック成形品１で包み込むように覆われた木質系部材５’、繊維強化プラスチック成形品１の凹凸面１ａが接着された木質系部材６、及び構造材の接合部に繊維強化プラスチック成形品１の凹凸面１ａが接着された木質系建築物１０について詳細に説明した。しかし、前述した又は図示した実施形態は、いずれも本発明を実施するにあたって具体化した一実施形態を示したものに過ぎない。よって、例示した実施形態によって本発明の技術的範囲が限定的に解釈されてはならないものである。
【符号の説明】
【００８１】
１：（炭素）繊維強化プラスチック成形品
１ａ：凹凸面
１ｂ：平滑面
２：ヤーン
３，３’：プリプレグ
４：積層体
５，５’：木質系部材（低比重部材：平滑面接着）
５０’：木質系材料（低比重材料）
６：木質系部材（低比重部材：凹凸面接着）
１０：木質系部材（低比重部材：木質系材料）
１１：土台（主要構造材：構造材）
１２：柱（主要構造材：構造材）
Ｋ１：金型
Ｓ１：シート
Ｐ：真空ポンプ
【要約】
【課題】片面に凹凸が形成されることにより、低比重部材との接着性を向上させることができるとともに、補強繊維自体で模様を形成することにより意匠性が高く、且つ傷や汚れが目立ち難い繊維強化プラスチック成形品、及びそれが接着された低比重部材及び木質系建築物を提供する。
【解決手段】連続繊維補強材を補強繊維として、前記補強繊維の周りに樹脂を含侵させてプリプレグ３を形成し、そのプリプレグ３を硬化させて成形した繊維強化プラスチック成形品１において、補強繊維のヤーン２に疎密差を設けて配列し、硬化樹脂を含侵させてプリプレグ３を形成し、オートクレーブ成形やオーブン成形により成形品の片面を金型Ｋ１で押圧せずに、補強繊維のヤーン２の疎密差に起因する凹凸（凹凸面１ａ）をそのまま形成する。
【選択図】図５【図１】
0006764052.tif 000002
【図２】
0006764052.tif 000003
【図３】
0006764052.tif 000004
【図４】
0006764052.tif 000005
【図５】
0006764052.tif 000006
【図６】
0006764052.tif 000007
【図７】
0006764052.tif 000008
【図８】
0006764052.tif 000009
【図９】
0006764052.tif 000010
【図１０】
0006764052.tif 000011
【図１１】
0006764052.tif 000012
【図１２】
0006764052.tif 000013
【図１３】
0006764052.tif 000014